(57)【要約】多数のハウジングの様式に対し１つのトランシーバ形状ファクタ設計を利用するヘッドセット及びその製造方法を提供する。異なる様式のハウジングに対し同じトランシーバを利用することにより、製造費が低減されるとともに、ユーザーに対する選択の多様性を広くする。
2004514345.tif 000002
【特許請求の範囲】
【請求項１】
形状ファクタがほぼ同一の複数の本体であって、各本体は音声信号に応答して音声を出力するスピーカ変換器を有している当該本体を形成する工程と、
ハウジング様式が異なる複数のハウジングを形成する工程と、
本体が複数の異なるハウジングに取付けられるように、本体を各ハウジングに取付ける工程と
を有する複数のヘッドセットの製造方法。
【請求項２】
請求項１に記載の複数のヘッドセットの製造方法において、前記本体は更に、前記スピーカ変換器に接続された信号処理回路を有するようにする複数のヘッドセットの製造方法。
【請求項３】
請求項２に記載の複数のヘッドセットの製造方法において、前記本体は更に、前記信号処理回路に接続された無線受信回路を有するようにする複数のヘッドセットの製造方法。
【請求項４】
請求項１に記載の複数のヘッドセットの製造方法において、前記本体は更に、前記スピーカ変換器に接続された無線受信回路を有する複数のヘッドセットの製造方法。
【請求項５】
請求項１に記載の複数のヘッドセットの製造方法において、前記本体は更に、この本体に連結され、音声に応答して音声信号を出力するマイクロホン変換器を有するようにする複数のヘッドセットの製造方法。
【請求項６】
請求項５に記載の複数のヘッドセットの製造方法において、前記本体は更に、前記スピーカ変換器及びマイクロホン変換器に接続された信号処理回路を有するようにする複数のヘッドセットの製造方法。
【請求項７】
請求項６に記載の複数のヘッドセットの製造方法において、前記本体は更に、前記信号処理回路に接続された無線送受信回路を有するようにする複数のヘッドセットの製造方法。
【請求項８】
請求項５に記載の複数のヘッドセットの製造方法において、前記本体は更に、前記スピーカ変換器及びマイクロホン変換器に接続された無線送受信回路を有するようにする複数のヘッドセットの製造方法。
【請求項９】
請求項１に記載の複数のヘッドセットの製造方法において、前記本体は、細長状形状と、円形形状と、平坦な薄片形状と、正方形形状とより成る群から選択した形状を有するようにする複数のヘッドセットの製造方法。
【請求項１０】
請求項５に記載の複数のヘッドセットの製造方法において、前記本体は、細長状形状と、円形形状と、平坦な薄片形状と、正方形形状とより成る群から選択した形状を有するようにする複数のヘッドセットの製造方法。
【請求項１１】
請求項１に記載の複数のヘッドセットの製造方法において、異なるハウジング様式は異なる形状を有するようにする複数のヘッドセットの製造方法。
【請求項１２】
請求項１に記載の複数のヘッドセットの製造方法において、複数のハウジングを形成する前記工程が各ハウジング内に保持用構造体を形成する工程を有し、本体を各ハウジングに取付ける前記工程が本体を保持用構造体内に挿入する工程を有する複数のヘッドセットの製造方法。
【請求項１３】
請求項１２に記載の複数のヘッドセットの製造方法において、前記保持用構造体がハウジングの内側面から離れる方向に延在する複数の側壁を有するようにするとともに、本体を保持用構造体内に挿入する前記工程が、これらの複数の側壁により画成された領域内に本体を配置する工程を有する複数のヘッドセットの製造方法。
【請求項１４】
請求項１２に記載の複数のヘッドセットの製造方法において、前記保持用構造体が複数の側壁と、これら複数の側壁に連結された部分側壁と、この部分側壁の平面内でこの部分側壁から離れる方向に延在する可撓性部材と、この可撓性部材に連結された保持用クラスプとを有するようにし、本体を各ハウジングに取付ける前記工程が、前記複数の側壁と前記部分側壁とにより画成された領域内に本体を摺動させる工程を有する複数のヘッドセットの製造方法。
【請求項１５】
請求項５に記載の複数のヘッドセットの製造方法において、複数のハウジングを形成する前記工程が、各ハウジングの内側に保持用構造体を形成する工程を有し、本体を各ハウジングに取付ける前記工程が、前記保持用構造体内に本体を挿入する工程を有する複数のヘッドセットの製造方法。
【請求項１６】
請求項１５に記載の複数のヘッドセットの製造方法において、前記保持用構造体がハウジングの内側面から離れる方向に延在する複数の側壁を有するようにするとともに、本体を保持用構造体内に挿入する前記工程が、これらの複数の側壁により画成された領域内に本体を配置する工程を有する複数のヘッドセットの製造方法。
【請求項１７】
請求項１５に記載の複数のヘッドセットの製造方法において、前記保持用構造体が複数の側壁と、これら複数の側壁に連結された部分側壁と、この部分側壁の平面内でこの部分側壁から離れる方向に延在する可撓性部材と、この可撓性部材に連結された保持用クラスプとを有するようにし、本体を各ハウジングに取付ける前記工程が、前記複数の側壁と前記部分側壁とにより画成された領域内に本体を摺動させる工程を有する複数のヘッドセットの製造方法。
【請求項１８】
請求項１に記載の複数のヘッドセットの製造方法において、この方法が更に、複数の保持用構造体を形成する工程を有し、本体を各ハウジングに取付ける前記工程が、これら複数の保持用構造体を本体及びハウジングに取付ける工程を有する複数のヘッドセットの製造方法。
【請求項１９】
請求項１８に記載の複数のヘッドセットの製造方法において、各保持用構造体が第１脚部と、第２脚部と、これら第１及び第２脚部に連結されたＵ字状区分とを有するようにし、ハウジングを保持用構造体の脚部間に挿入することによりこれら保持用構造体をハウジングに取付ける複数のヘッドセットの製造方法。
【請求項２０】
請求項５に記載の複数のヘッドセットの製造方法において、この方法が更に、複数の保持用構造体を形成する工程を有し、本体を各ハウジングに取付ける前記工程が、これら複数の保持用構造体を本体及びハウジングに取付ける工程を有する複数のヘッドセットの製造方法。
【請求項２１】
請求項２０に記載の複数のヘッドセットの製造方法において、各保持用構造体が第１脚部と、第２脚部と、これら第１及び第２脚部に連結されたＵ字状区分とを有するようにし、ハウジングを保持用構造体の脚部間に挿入することによりこれら保持用構造体をハウジングに取付ける複数のヘッドセットの製造方法。
【請求項２２】
請求項１に記載の複数のヘッドセットの製造方法において、各本体が保持用構造体を有するようにする複数のヘッドセットの製造方法。
【請求項２３】
請求項２２に記載の複数のヘッドセットの製造方法において、各保持用構造体が第１脚部と、第２脚部と、これら第１及び第２脚部に連結されたＵ字状区分とを有するようにし、ハウジングを保持用構造体の脚部間に挿入することによりこれら保持用構造体をハウジングに取付ける複数のヘッドセットの製造方法。
【請求項２４】
請求項５に記載の複数のヘッドセットの製造方法において、各本体が保持用構造体を有するようにする複数のヘッドセットの製造方法。
【請求項２５】
請求項２４に記載の複数のヘッドセットの製造方法において、各保持用構造体が第１脚部と、第２脚部と、これら第１及び第２脚部に連結されたＵ字状区分とを有するようにし、ハウジングを保持用構造体の脚部間に挿入することにより本体をハウジングに取付ける複数のヘッドセットの製造方法。
【請求項２６】
請求項１に記載の複数のヘッドセットの製造方法において、各ハウジングが保持用構造体を有するようにする複数のヘッドセットの製造方法。
【請求項２７】
請求項２６に記載の複数のヘッドセットの製造方法において、各保持用構造体が第１脚部と、第２脚部と、これら第１及び第２脚部に連結されたＵ字状区分とを有するようにし、本体を保持用構造体の脚部間に挿入することにより本体をハウジングに取付ける複数のヘッドセットの製造方法。
【請求項２８】
請求項５に記載の複数のヘッドセットの製造方法において、各ハウジングが保持用構造体を有するようにする複数のヘッドセットの製造方法。
【請求項２９】
請求項２８に記載の複数のヘッドセットの製造方法において、各保持用構造体が第１脚部と、第２脚部と、これら第１及び第２脚部に連結されたＵ字状区分とを有するようにし、本体を保持用構造体の脚部間に挿入することによりこれら保持用構造体を本体に取付ける複数のヘッドセットの製造方法。
【請求項３０】
請求項１に記載の複数のヘッドセットの製造方法において、ハウジングが第１及び第２側面を有するようにし、本体をハウジングの第１側面に固着してハウジングの第１及び第２側面を互いに連結することにより本体をハウジングに取付ける複数のヘッドセットの製造方法。
【請求項３１】
請求項５に記載の複数のヘッドセットの製造方法において、ハウジングが第１及び第２側面を有するようにし、本体をハウジングの第１側面に固着してハウジングの第１及び第２側面を互いに連結することにより本体をハウジングに取付ける複数のヘッドセットの製造方法。
【請求項３２】
請求項１に記載の複数のヘッドセットの製造方法において、この方法が更に、
種々のハウジング様式をユーザーの人々に提示する工程と、
ユーザーが選択したハウジング様式を識別する注文をユーザーから受ける工程と
を有する複数のヘッドセットの製造方法。
【請求項３３】
請求項３２に記載の複数のヘッドセットの製造方法において、種々のハウジング様式をＷｅｂ ページ上でユーザーの人々に提示する複数のヘッドセットの製造方法。
【請求項３４】
請求項３２に記載の複数のヘッドセットの製造方法において、前記注文は、ユーザーが選択したハウジング上に設ける装飾の例を含むようにする複数のヘッドセットの製造方法。
【請求項３５】
請求項３４に記載の複数のヘッドセットの製造方法において、前記装飾には、トレードマーク、ロゴ、絵及びデザインを含める複数のヘッドセットの製造方法。
【請求項３６】
請求項３２に記載の複数のヘッドセットの製造方法において、注文に応答してユーザーにハウジングを提供し、ハウジングには自分で印刷するラベルを含めるようにする複数のヘッドセットの製造方法。
【請求項３７】
請求項１に記載の複数のヘッドセットの製造方法において、ハウジングは、ユーザーがハウジングの外形をあつらえうるように切断しうる材料から形成する複数のヘッドセットの製造方法。
【請求項３８】
請求項３２に記載の複数のヘッドセットの製造方法において、この方法は更に、ユーザーによる組み立てが要求されているかどうかを決定する工程を有する複数のヘッドセットの製造方法。
【請求項３９】
請求項３８に記載の複数のヘッドセットの製造方法において、ユーザーによる組み立てが要求されていない場合で注文を受けた後に本体をハウジングに取付ける複数のヘッドセットの製造方法。
【請求項４０】
請求項３８に記載の複数のヘッドセットの製造方法において、ユーザーによる組み立てが要求された場合に本体をユーザーによりハウジングに取付ける複数のヘッドセットの製造方法。
【請求項４１】
各々が内側の空胴を有する複数の第１ハウジングと、
各々が内側の空胴を有する複数の第２ハウジングと、
形状ファクタがほぼ同じ複数の本体であって、各第１ハウジングの内側の空胴及び各第２ハウジングの内側の空胴内に本体が配置され、各本体は音声信号に応答して音声を出力するスピーカ変換器を有している当該本体と
を具えている複数のヘッドセット。
【請求項４２】
請求項４１に記載の複数のヘッドセットにおいて、前記本体は更に、前記スピーカ変換器に接続された信号処理回路を有している複数のヘッドセット。
【請求項４３】
請求項４２に記載の複数のヘッドセットにおいて、前記本体は更に、前記信号処理回路に接続された無線受信回路を有している複数のヘッドセット。
【請求項４４】
請求項４１に記載の複数のヘッドセットにおいて、前記本体は更に、前記スピーカ変換器に接続された無線受信回路を有している複数のヘッドセット。
【請求項４５】
請求項４１に記載の複数のヘッドセットにおいて、前記第１ハウジングと前記第２ハウジングとが互いに異なる形状を有している複数のヘッドセット。
【請求項４６】
請求項４１に記載の複数のヘッドセットにおいて、各第１ハウジングの内側の空胴は、前記本体をこの内側の空胴内に保持する保持用クラスプを有する可撓性部材により画成されている複数のヘッドセット。
【請求項４７】
請求項４１に記載の複数のヘッドセットにおいて、各第１ハウジングは第１及び第２側面を有している複数のヘッドセット。
【請求項４８】
請求項４１に記載の複数のヘッドセットにおいて、各第１ハウジングの内側の空胴はハウジングの第１側面から離れる方向に延在する４つの側壁により画成されている複数のヘッドセット。
【請求項４９】
請求項４１に記載の複数のヘッドセットにおいて、各本体は、音声に応答して音声信号を出力するマイクロホン変換器を有している複数のヘッドセット。
【請求項５０】
請求項４９に記載の複数のヘッドセットにおいて、前記本体は更に、前記スピーカ及びマイクロホン変換器に接続された信号処理回路を有している複数のヘッドセット。
【請求項５１】
請求項５０に記載の複数のヘッドセットにおいて、前記本体は更に、前記信号処理回路に接続された無線送受信回路を有している複数のヘッドセット。
【請求項５２】
請求項４９に記載の複数のヘッドセットにおいて、前記本体は更に、前記スピーカ及びマイクロホン変換器に接続された無線送受信回路を有している複数のヘッドセット。
【請求項５３】
請求項４９に記載の複数のヘッドセットにおいて、第１ハウジングと第２ハウジングとが互いに異なる形状を有している複数のヘッドセット。
【請求項５４】
請求項４９に記載の複数のヘッドセットにおいて、各第１ハウジングの内側の空胴は、前記本体をこの内側の空胴内に保持する保持用クラスプを有する可撓性部材により画成されている複数のヘッドセット。
【請求項５５】
請求項４９に記載の複数のヘッドセットにおいて、各第１ハウジングは第１及び第２側面を有している複数のヘッドセット。
【請求項５６】
請求項４９に記載の複数のヘッドセットにおいて、各第１ハウジングの内側の空胴はハウジングの第１側面から離れる方向に延在する４つの側壁により画成されている複数のヘッドセット。
【請求項５７】
第１及び第２端部を有する本体と、
この本体の第１端部に連結され音声信号に応答して音声を出力するスピーカ変換器と、
内側の空胴を有し、前記本体がこの内側の空胴内に配置されているハウジングと
を具えているヘッドセット。
【請求項５８】
請求項５７に記載のヘッドセットにおいて、前記本体は更に、この本体の第２端部に接続され入力音声に応答して電気音声信号を出力するマイクロホン変換器を有しているヘッドセット。
【請求項５９】
請求項５８に記載のヘッドセットにおいて、前記本体は細長状であるとともに、マイクロホン変換器に対するスピーカ変換器の位置が固定されるように剛性であるヘッドセット。
【請求項６０】
音声信号に応答して音声を出力するスピーカ変換器を有する本体と、
この本体に連結されたクリップと、
このクリップを介して本体に連結されているハウジングと
を具えているヘッドセット。
【請求項６１】
請求項６０に記載のヘッドセットにおいて、前記クリップは第１脚部と、第２脚部と、これら第１及び第２脚部に連結されたＵ字状区分とを有しているヘッドセット。
【請求項６２】
請求項６１に記載のヘッドセットにおいて、ハウジングがクリップの第１及び第２脚部間に保持されているヘッドセット。
【請求項６３】
請求項６０に記載のヘッドセットにおいて、ハウジングは可撓性材料から形成されているヘッドセット。
【請求項６４】
請求項６０に記載のヘッドセットにおいて、ハウジングは単層の材料から形成されているヘッドセット。
【請求項６５】
請求項６０に記載のヘッドセットにおいて、前記本体は更に、入力音声に応答して電気音声信号を出力するマイクロホン変換器を有しているヘッドセット。
【請求項６６】
請求項６５に記載のヘッドセットにおいて、前記クリップは第１脚部と、第２脚部と、これら第１及び第２脚部に連結されたＵ字状区分とを有しているヘッドセット。
【請求項６７】
請求項６６に記載のヘッドセットにおいて、ハウジングがクリップの第１及び第２脚部間に保持されているヘッドセット。
【請求項６８】
請求項６５に記載のヘッドセットにおいて、ハウジングは可撓性材料から形成されているヘッドセット。
【請求項６９】
請求項６５に記載のヘッドセットにおいて、ハウジングは単層の材料から形成されているヘッドセット。
【請求項７０】
音声信号に応答して音声を出力するスピーカ変換器及びクリップを有する本体と、
前記クリップを介して前記本体に連結されているハウジングと
を具えているヘッドセット。
【請求項７１】
請求項７０に記載のヘッドセットにおいて、前記クリップは第１脚部と、第２脚部と、これら第１及び第２脚部に連結されたＵ字状区分とを有しているヘッドセット。
【請求項７２】
請求項７１に記載のヘッドセットにおいて、ハウジングがクリップの第１及び第２脚部間に保持されているヘッドセット。
【請求項７３】
請求項７０に記載のヘッドセットにおいて、ハウジングは可撓性材料から形成されているヘッドセット。
【請求項７４】
請求項７０に記載のヘッドセットにおいて、ハウジングは単層の材料から形成されているヘッドセット。
【請求項７５】
音声信号に応答して音声を出力するスピーカ変換器を有する本体と、
クリップを有するハウジングであって、このハウジングはクリップを介して前記本体に連結されている当該ハウジングと
を具えているヘッドセット。
【請求項７６】
請求項７５に記載のヘッドセットにおいて、ハウジングは可撓性材料から形成されているヘッドセット。
【請求項７７】
請求項７５に記載のヘッドセットにおいて、ハウジングは単層の材料から形成されているヘッドセット。
【請求項７８】
スピーカ変換器を有する本体を第１ハウジングから取出す工程と、
この本体を、複数の第１ハウジングとは形状ファクタが異なる第２ハウジングに取付ける工程と
を有するハウジング交換方法。
【請求項７９】
複数の第１ハウジングと、
これら第１ハウジングの形状ファクタとは異なる形状ファクタを有する複数の第２ハウジングと、
スピーカ変換器を有する複数の本体であって、複数の第１ハウジング及び複数の第２ハウジングに収容されている当該本体と
を具えている物品の集合。
【請求項８０】
第１の形状ファクタを有する第１ハウジングと、
前記第１の形状ファクタとは異なる第２の形状ファクタを有する第２ハウジングと、
スピーカ変換器を有する本体と、
この本体と第１ハウジング又は第２ハウジングとに結合された連結装置と
を具えている製品。
【発明の詳細な説明】
【０００１】
発明の分野
本発明は、ヘッドセットに関するものであり、特に種々の異なるハウジング様式に対し１つのトランシーバ形状ファクタ設計を利用するヘッドセット及びその製造方法に関するものである。
【０００２】
従来技術の説明
ヘッドセットとは、ユーザーが装着した際に、スピーカをユーザーの耳の付近に位置させるとともにマイクロホンをユーザーの口の付近に位置させる装置である。ハンズフリー動作を可能にするヘッドセットは、一般に電話交換手が装着しており、インターネット、ゲーム及び音声認識に関して電話を利用するのにパーソナルコンピュータのユーザーが益々装着するようになってきている。更に、携帯電話のユーザーも益々ヘッドセットを利用するようになっている。
【０００３】
図１は、従来のヘッドセット１００を示す斜視図である。図１に示すように、このヘッドセット１００は細長状の支持部材１１０と、この支持部材１１０の一端に連結されたスピーカ１１２と、支持部材１１０の他端に連結されたマイクロホン１１４とを有している。
【０００４】
ヘッドセット１００は更に、支持部材１１０に連結された位置決め部材１１６を有している。耳に装着するように設計されたこの位置決め部材１１６は、支持部材１１０に連結された第１区分と、この第１区分に角度を成して連結された第２区分と、この第２区分に連結された弓状の第３区分とを有している。
【０００５】
図１に示す耳型のヘッドセット以外に、支持部材を保持しこれによりスピーカ及びマイクロホンを適所に保持するのにヘッドバンドを用いるヘッドセットも一般に市販されている。ヘッドバンド支持部材の場合、スピーカは、頭の上に延在してこの頭に接触するヘッドバンドにより一方の耳の上に配置され、ヘッドバンドには反対側の耳の上に置かれるパッド付端部が設けられている。
【０００６】
しばしばソープオンアロープ（ｓｏａｐ−ｏｎ−ａ−ｒｏｐｅ）と称されている他の通常の種類のヘッドセットは、耳の中又はその付近に配置されたスピーカと、このスピーカを電話又はコンピュータに接続するワイヤ上のどこかに配置されたマイクロホンとを用いている。このソープオンアロープ型のヘッドセットは極めてコンパクトで持ち運びが容易であるが、しばしばユーザーの衣服にクリップ止めされるマイクロホンは過大なバックグラウンドノイズを受けやすい。
【０００７】
発明の概要
本発明は、種々のハウジング様式に対し１つのトランシーバ形状ファクタ設計を利用するヘッドセットの製造方法を提供する。種々のハウジング様式に対し１つのトランシーバ形状ファクタを利用することにより、開発費、製造費及び製品化時間が低減され、同時に種々の選択の可能性を消費者に与える。更に、第１のヘッドセットを購入した後に、消費者は他のトランシーバを購入することなしに他のハウジングのみを購入することができる。その理由は、消費者が装着したいと望むいずれのハウジング内にも第１のヘッドセットのトランシーバを用いることができる為である。
【０００８】
本発明の方法は、ほぼ同一の複数のトランシーバを形成する工程を含む。各トランシーバは、本体と、この本体に連結され音声信号に応答して音声を出力するスピーカ変換器と、前記本体に連結され入力音声に応答して電気音声信号を出力するマイクロホン変換器とを有する。本発明方法は更に、種々の異なるハウジング様式に対する多数のハウジングを形成する工程を有する。本発明方法は更に、ほぼ同一のトランシーバを種々のハウジング様式のハウジングに取付ける工程を有する。これにより、全て同じトランシーバ設計を用いて、外形が異なる種々のヘッドセットを構成する。
【０００９】
本発明の方法には、ハウジングの様式をユーザーの人々に提示する工程と、ユーザーから注文を受ける工程とを含めることもできる。この注文は、ユーザーが選択したハウジングの様式を特定する。
【００１０】
本発明の方法は、第１及び第２の多数のハウジングを含むヘッドセットの集合を生ぜしめる。第１及び第２のハウジングの各々は内側の空胴を有する。ヘッドセットの集合には、多数のほぼ同一のトランシーバも含まれている。これらトランシーバは、各第１のハウジングの内側の空胴内と各第２のハウジングの内側の空胴内とに配置される。
【００１１】
本発明の原理を用いた実施例を示す添付図面に関する以下の詳細な説明から本発明の特徴及び利点がより良好に理解されるであろう。
【００１２】
図２は、本発明によるヘッドセットの製造方法２００を示すフローチャートである。図２に示すように、この方法２００には、同一の形状ファクタを有する多数のトランシーバを製造する工程２１０が含まれる。（同じ形状ファクタを有するようにするが製造誤差の為に形状ファクタが僅かに変化したトランシーバは同一であるとみなす。）
【００１３】
図３は、本発明によるトランシーバ３００を示すブロック線図である。図３に示すように、このトランシーバ３００は、受信した音声信号ＳＳ１に応答して音声を出力するスピーカ変換器３１０と、受けた（入力）音声に応答して電気音声信号ＳＳ２を出力するマイクロホン変換器３１２とを有する。
【００１４】
更に、破線Ｌ１及びＬ２で示すように、トランシーバ３００は、任意ではあるが、スピーカ変換器３１０及びマイクロホン変換器３１２に接続された信号処理回路３１４を有することができる。この信号処理回路３１４は、電話又はコンピュータのような通信装置（図示せず）を用いて変換器３１０及び３１２間で交信を行うのに必要な信号処理のすべて又は一部を実行しうる。信号処理回路３１４は、フィルタ処理、振幅制限処理及びエコー相殺処理のような他の機能を実行することもできる。
【００１５】
更に任意ではあるが、破線Ｌ３及びＬ４で示すように、トランシーバ３００には、信号処理回路３１４に接続された無線送受信回路３１６を含めることができる。この無線送受信回路３１６は、接続ワイヤを用いることなく、完全に又は部分的に処理した信号を信号処理回路３１４から通信装置に送信するとともに、コンパチブル信号を通信装置から信号処理回路３１４に送信する。更に任意ではあるが、破線Ｌ５及びＬ６で示すように、スピーカ変換器３１０及びマイクロホン変換器３１２を無線送受信回路３１６に直接接続することができる。
【００１６】
前述したように１つの形状ファクタを有するトランシーバを製造する。１つの形状ファクタを有するトランシーバを製造するが、形状ファクタは、細長状形状や、円形形状や、正方形形状等のいかなる形状をも有するようにしうる。
【００１７】
図４Ａ及び４Ｂは、トランシーバ４００を互いに逆の方向から見た斜視図であり、本発明による形状ファクタの第１の例を示している。図４Ａ及び４Ｂに示すように、このトランシーバ４００は、第１端部及び第２端部を有する細長状本体４１０を具えている。更に、トランシーバ４００は、細長状本体４１０の第１端部に連結されスピーカ変換器を収容する部材４１２と、細長状本体４１０の第２端部に連結されマイクロホン変換器を収容する突出部４１４とを有する。
【００１８】
トランシーバ４００の細長状本体４１０は、マイクロホン変換器に対するスピーカ変換器の位置を可変又は固定とするように、それぞれ可撓性又は剛性にすることができる。更に、トランシーバが無線送受信回路を有しない場合には、外部ワイヤ４１６をトランシーバ４００に接続して通信装置（図示せず）に対する接続を達成するようにする。
【００１９】
図５Ａ及び５Ｂは、トランシーバ５００を互いに逆の方向から見た斜視図であり、本発明による形状ファクタの第２の例を示している。トランシーバ５００はトランシーバ４００に類似している為、これら双方のトランシーバに共通な構造部には同じ符号を付した。
【００２０】
図５Ａ及び５Ｂに示すように、トランシーバ５００はマイクロホン変換器を収容する突出部５１４を有する。トランシーバ４００の突出部４１４はトランシーバ４００の面から延在しているのと相違し、突出部５１４はトランシーバ５００の長手軸線に沿ってこのトランシーバ５００の端部から延在している。
【００２１】
上述したことに加え、１つの形状ファクタを有する多数のトランシーバを用いる代わりに、同じ形状ファクタを有する多数の受信機を用いることができる。
【００２２】
図２を参照するに、本発明による方法は、異なる様式を有する多数のハウジングを製造する工程２１２をも有する。（工程２１０及び２１２はいかなる順序で行っても、同時に行っても良い。）ハウジング様式は互いに異なるが、各ハウジングは本発明の変換器で動作するように設計する。
【００２３】
図６Ａ及び６Ｂはハウジング６００を互いに逆の方向から見た斜視図であり、本発明によるハウジング様式の第１の例を示している。図６Ａ及び６Ｂに示すように、ハウジング６００は、内側面６１２を有する第１半部６１０と、内側面６１６を有する第２半部６１４とを具える２片構造体である。
【００２４】
第１半部６１０及び第２半部６１４が互いに連結されると、ハウジング６００は第１端部及び第２端部を具える細長状本体を有するようになる。更に、内側面６１２及び６１６は内側の空胴６１８を規定し、この空胴は第１端部に多数の開口６２０を、第２端部に開口６２２を有する。
【００２５】
内側の空胴６１８はトランシーバ４００又は５００のようなトランシーバを収容し、開口６２０はスピーカ変換器からの音声を外界に通す作用をする。一方、開口６２２は音声をトランシーバのマイクロホン変換器に指向させる。更に、耳片６２４のような種々の構造体の何れも、ハウジング６００をユーザーの耳の付近に位置決めするようにこのハウジング６００に連結しうる。
【００２６】
図７は、ハウジング７００の斜視図であり、本発明によるハウジング様式の第２の例を示す。図７に示すように、このハウジング７００も、内側面７１２を有する第１半部７１０と、内側面７１８を有する第２半部７１６とを具える２片構造体である。
【００２７】
第１半部７１０及び第２半部７１６が互いに連結されると、ハウジング７００は第１端部及び第２端部を具える細長状本体を有するようになり、この細長状本体はハウジング６００の細長状本体よりも短い。更に、内側面７１２及び７１８は内側の空胴７２０を規定し、この空胴は第１端部に多数の開口７２２を、第１半部７１０の第２端部における外側面７１４に開口７２４を有する。
【００２８】
内側の空胴７２０はトランシーバ４００又は５００のようなトランシーバを収容し、開口７２２はスピーカ変換器からの音声を外界に通す作用をする。一方、開口７２４は音声をトランシーバのマイクロホン変換器に指向させる。更に、耳片７２６のような種々の構造体の何れかを、ハウジング７００をユーザーの耳の付近に位置決めするようにこのハウジング７００に連結しうる。
【００２９】
図８Ａ及び８Ｂはハウジング８００を互いに逆の方向から見た斜視図であり、本発明によるハウジング様式の第３の例を示している。図８Ａ及び８Ｂに示すように、ハウジング８００は、内側面８１２を有する第１半部８１０と、内側面８１６を有する第２半部８１４とを具える２片構造体である。
【００３０】
第１半部８１０及び第２半部８１４が互いに連結されると、ハウジング８００は円形本体を有するようになる。更に、内側面８１２及び８１６は内側の空胴８１８を規定し、この空胴は本体の中央における多数の開口８２０と、側壁における開口８２２とを有する。
【００３１】
内側の空胴８１８はトランシーバ４００又は５００のようなトランシーバを収容し、開口８２０はスピーカ変換器からの音声を外界に通す作用をする。一方、開口８２２は音声をトランシーバのマイクロホン変換器に指向させる。更に任意ではあるが、ハウジング８００には、音声をマイクロホン変換器に指向させる開口８２２に連結された中空の音声伝達管８２４を設ける。更に任意ではあるが、音声伝達管８２４はトランシーバに直接連結することができる。更に、ヘッドバンド８２６のような種々の構造体の何れかを、ハウジング８００をユーザーの耳の付近に位置決めするのに用いることができる。
【００３２】
図９はハウジング９００の斜視図であり、本発明によるハウジング様式の第４の例を示す。図９に示すように、ハウジング９００は可撓性で多層の薄片本体９１０を有する。更に、ハウジング９００は切り抜き部９１２と、内側の空胴９１４と、第１の開口９１６と、多数の第２の開口９１８とを有する。切り抜き部９１２は、ハウジング９００をユーザーの耳に掛けられるようにし、内側の空胴９１４はトランシーバ４００又は５００のようなトランシーバを収容する。更に、第１の開口９１６は、トランシーバのマイクロホン変換器を外音に曝すようにし、第２の開口９１８はスピーカ変換器を外界に露出させる。
【００３３】
図１０は、ハウジング１０００の斜視図であり、本発明によるハウジング様式の第５の例を示す。図１０に示すように、ハウジング１０００は可撓性で一層の薄片本体１０１０を有し、この本体は、ハウジング１０００をユーザーの耳に掛けられるようにする切り抜き部１０１２を有する。
【００３４】
上述したところでは、ハウジング様式の５つの例を説明したが、本発明のハウジングはこれらの５つの例に限定されるものではなく、前述したように、いかなる様式のものにもしうるものである。更に、ハウジングは、はさみで切断しうる材料から部分的に又は完全に形成し、ユーザーがハウジングの外側を切断して所望のいかなる形状にもしうるようにすることができる。ハウジングの材料には、例えば、発泡プラスチック、薄膜、繊維織物又はゴムを含めることができる。材料が音の透過性のよい材料である場合には、ハウジングに音声用の開口を設ける必要はない。更に、ハウジング９００及び１０００に加え、ハウジング６００、７００及び８００にも、これらのハウジングがユーザーの耳に掛けられるようにする切り抜き部を設けることができる。
【００３５】
図２に戻るに、本発明による方法２００は、ハウジング様式が異なるハウジングにトランシーバを取付ける工程２１４をも有する。トランシーバをハウジングに取付けるのに、多数の異なる保持用構造体を用いることができる。図１１は、本発明による第１の保持用構造体１１００を示す斜視図である。
【００３６】
図１１に示すように、第１の保持用構造体１１００は、内側面６１２、７１２又は８１２のようなハウジングの内側面１１１２に連結された多数の側壁１１１０を有する。（側壁１１１０は必ずしも図１１に示すように互いに連結する必要はない。）側壁１１１０は、ハウジングを組み立てた際にこれら側壁１１１０がハウジングの反対側の内側面に完全に又はほぼ接触するような高さＨを有する。本発明の好適例では、側壁１１１０をハウジングと一体に形成する。（任意ではあるが、ハウジングの双方の半部の内側面に部分的に組み立て側壁を形成することができる。）
【００３７】
本例では、側壁１１１０により画成された領域１１１４内にトランシーバを挿入することにより、このトランシーバをハウジングに取付ける。その後に、半部６１０／６１４、７１０／７１６又は８１０／８１４のようなハウジングの第１及び第２の半部を互いに連結し、ハウジングの内側面が側壁１１１０と相俟ってトランシーバを適所に保持するようにする。
【００３８】
図１２は、本発明による第２の保持用構造体１２００を示す斜視図である。この図１２に示すように、第２の保持用構造体１２００は１つの端壁１２１０と、３つの側壁１２１２と、１つの部分側壁１２１４とを有する。部分側壁１２１４と同じ平面内でこの部分側壁１２１４から離れる方向に可撓性部材１２１６が延在しており、この可撓性部材は保持用クラスプ１２１８を有する。更に、側壁には、マイクロホン開口１２２０と、多数のスピーカ開口１２２２が形成されている。本発明の好適例では、保持用構造体１２００をハウジングと一体に形成し、保持用構造体の少なくとも１つの壁部がハウジングの内側面と共通となるようにする。
【００３９】
本例では、可撓性部材１２１６を反対側の側壁から離れる方向に押しやり、トランシーバを保持用構造体１２００内に摺動させ、次に可撓性部材１２１６を釈放することにより、このトランシーバをハウジングに取付ける。可撓性部材１２１６を釈放すると、この可撓性部材が元の位置に復帰する。この元の位置でこの可撓性部材１２１６の保持用クラスプ１２１８がトランシーバを構造体１２００内に保持する。
【００４０】
保持用構造体１２００によれば、製造中においてもユーザー自身においてもトランシーバを容易に挿入しうるという利点が得られる。更に、保持用構造体１２００は、１つのトランシーバを多数のハウジング様式間で交換して用いる能力をユーザーに与える。例えば、ユーザーは多数の様式のハウジングと１つのトランシーバとを有しうる。この場合、ユーザーは、気分によって又は新しいハウジングを購入した際にハウジングの様式を切替えて好ましいハウジングにトランシーバを入れる能力が得られる。
【００４１】
図１３は、本発明による第３の保持用構造体１３００を示す側面図である。図１３に示すように、保持用構造体１３００は、Ｕ字状区分１３１４により互いに連結された第１脚部１３１０及び第２脚部１３１２を有するクリップである。変形可能な材料を用いたこの保持用構造体１３００は、第１脚部１３１０が第２脚部１３１２に接触してこの第２脚部に力を及ぼすように形成されている。
【００４２】
本例では、保持用構造体（クリップ）１３００をトランシーバ４００又は５００のようなトランシーバに連結することにより、トランシーバをハウジングに取付ける。その後、脚部１３１０及び１３１２を互いに離間させ、ハウジングをこれらの脚部１３１０及び１３１２間に挿入する。ハウジングを一旦挿入し終わると、脚部を釈放させる。すると、脚部は元の位置に戻ろうとし、これによりハウジングを脚部間に緊締する。構造体１３００は、ユーザーが１つのトランシーバを多数のハウジング様式間で交換して用いうるという点で構造体１２００と同じ多数の利点を生じる。
【００４３】
図１４は、本発明による保持用構造体（クリップ）１３００の使用状態を示すヘッドセット１４００の斜視図である。図１４に示すように、ヘッドセット１４００は、保持用構造体１３００と、この保持用構造体１３００に取付けられたトランシーバ５００と、保持用構造体１３００により緊締されたハウジング１０００とを有する。
【００４４】
或いはまた、保持用構造体１１００、１２００又は１３００を用いずにトランシーバをハウジングに永久に固着させることができる。トランシーバは、にかわ又はその他の周知の接着剤を用いて永久に固着させることができる。更に、クリップはトランシーバ（又は受信機のみを用いている場合には受信機）の一部とするか或いはハウジングの一部とすることができる。
【００４５】
従って、本発明による方法２００は形状が異なる複数のハウジング様式を形成するが、各ハウジング様式は同じトランシーバ形状ファクタを利用している。多数のハウジング様式に対し１つのトランシーバ形状ファクタを利用することにより、開発費、製造費及び製品化時間が低減され、同時に種々の選択の可能性を消費者に与える。
【００４６】
本発明は、ユーザーに種々のハウジング様式を与えることに加え、エンドユーザーが入手可能な様式を見て所望の様式のハウジングを注文しうるようにする。図２に破線２Ａで示すように、本発明による方法２００は、ハウジング様式の異なる多数のハウジングをユーザーの人々に提示する工程２１６を有しうる。例えば、Ｗｅｂ ページ、カタログ或いは伝統的な小売配置を利用することによりハウジング様式をユーザーの人々に提示することができる。更に、本発明による方法２００は、ユーザーから注文を受ける工程２１８を有する。
【００４７】
これらの注文は、ユーザーにより選択されたハウジング様式（及び量）を識別する。これらの注文は、例えば、対話式のＷｅｂ ページや、書式の形態を用いることにより、又は小売店でじかに受けることができる。注文を受けると、納品が行われる。小売環境では、手持ちの在庫が売られる。
【００４８】
本発明によれば、ヘッドセットを組み立てた後にハウジングをユーザーの人々に提示するのではなく、ヘッドセットに対する注文を受けるまで幾つかの製造工程を遅らせることができる。
【００４９】
図１５は、本発明によるヘッドセットの製造方法１５００を示すフローチャートである。この方法１５００は方法２００に類似しており、従って、これらの双方の方法に共通な工程を同じ符号で示してある。
【００５０】
図１５に示すように、方法１５００は工程２１２（ハウジング様式の形成）を通過するまでは方法２００と同じであり、次の工程、すなわち、工程１５１４で方法２００と相違し、この工程１５１４において多数のハウジング様式がユーザーの人々に提示される。方法２００におけるのと同様に、Ｗｅｂ ページ、カタログ或いは小売環境を利用することによりハウジング様式をユーザーの人々に提示することができる。更に、方法１５００は、注文をユーザーから受ける工程１５１６を有する。これらの注文は、ユーザーが選択したハウジング様式（及び量）を識別する。これらの注文は、例えば、対話式のＷｅｂ ページや、書式の形態を用いることにより、又は小売店でじかに受けることができる。
【００５１】
次に、方法１５００は工程１５２０に進み、この方法１５００は、組み立てをユーザーが実行する必要があるかどうかを決定する。組み立てをユーザーにより実行する必要がある場合には、方法１５００は工程１５２２に進み、選択されたハウジング（ハウジングのみが購入された場合）又は選択されたハウジングとトランシーバとの双方（ハウジングトランシーバトランシーバとの双方が購入された場合）がユーザーに与えられる。ユーザーが、選択したハウジングとトランシーバとの双方を受けると、ユーザーは、トランシーバをハウジングに取付けることによりヘッドセットを組み立てる。
【００５２】
組み立てがユーザーにより行われない場合、方法１５００は工程１５２４に進み、前の期間に受けた注文に基づいたハウジングにトランシーバを取付ける。例えば、２週間毎に、注文を受けたハウジングにトランシーバを取付けてヘッドセットを完成させ、前２週間に受けた注文を満足させることができる。注文に応じてトランシーバを取付けると、ヘッドセットを組み立てる費用は、売られているヘッドセットに比べて高くなるおそれがある。最終的な組み立てをユーザーにまかすことにより、ヘッドセットの組み立て費用が大幅に低減される。
【００５３】
ユーザーはハウジング様式を選択することに加え、ユーザーは、選択したハウジング上に形成すべき一例の装飾を選択するか又は設けることができる。装飾には例えば、ロゴ、トレードマーク、絵又はその他のデザインを含めることができる。或いはまた、売られた各ハウジングに対し、自分で印刷しうるラベルを含め、ユーザーが独自の装飾を設計しうるようにすることができる。注文に対する支払いは、注文を受ける前か注文品の出荷後に受けるようにしうる。
【００５４】
更に、ヘッドセットに対する注文を受けた後のある期間までにヘッドセットの構成部品の幾つかしか製造されていないか又は全く製造されていない場合には、ユーザーの人々に見本のヘッドセットを提示するようにしうる。例えば、２週間毎に、注文を受けたハウジングにトランシーバを取付けてヘッドセットを完成させ、前２週間に受けた注文を満足させることができる。
【００５５】
本発明を実施するに当り、上述した本発明の実施例に対する変形例を採用しうることに注意すべきである。特許請求の範囲は本発明の範囲を規定するものであるが、特許請求の範囲内の方法及び構造やこれらの等価手段は本発明の範囲に含まれるものである。
【図面の簡単な説明】
【図１】従来のヘッドセット１００を示す斜視図である。
【図２】本発明によるヘッドセットの製造方法２００を示すフローチャートである。
【図３】本発明によるトランシーバ３００を示すブロック線図である。
【図４Ａ】本発明による形状ファクタの第１の例を示すトランシーバ４００の斜視図である。
【図４Ｂ】図４Ａのトランシーバ４００を反対側から見た斜視図である。
【図５Ａ】本発明による形状ファクタの第２の例を示すトランシーバ５００の斜視図である。
【図５Ｂ】図５Ａのトランシーバ５００を反対側から見た斜視図である。
【図６Ａ】本発明によるハウジング様式の第１の例を示すハウジング６００の斜視図である。
【図６Ｂ】図６Ａのハウジング６００を反対側から見た斜視図である。
【図７】本発明によるハウジング様式の第２の例を示すハウジング７００の斜視図である。
【図８Ａ】本発明によるハウジング様式の第３の例を示すハウジング８００の分解斜視図である。
【図８Ｂ】図８Ａのハウジング８００を組み立てて反対側から見た斜視図である。
【図９】本発明によるハウジング様式の第４の例を示すハウジング９００の斜視図である。
【図１０】本発明によるハウジング様式の第５の例を示すハウジング１０００の斜視図である。
【図１１】本発明による第１の保持用構造体１１００を示す斜視図である。
【図１２】本発明による第２の保持用構造体１２００を示す斜視図である。
【図１３】本発明による第３の保持用構造体１３００を示す斜視図である。
【図１４】本発明による保持用構造体（クリップ）１３００の使用方法を示すヘッドセット１４００の斜視図である。
【図１５】本発明によるヘッドセットの製造方法１５００を示すフローチャートである。
【国際公開パンフレット】
2004514345.tif 000003
2004514345.tif 000004
2004514345.tif 000005
2004514345.tif 000006
2004514345.tif 000007
2004514345.tif 000008
2004514345.tif 000009
2004514345.tif 000010
2004514345.tif 000011
2004514345.tif 000012
2004514345.tif 000013
2004514345.tif 000014
2004514345.tif 000015
2004514345.tif 000016
2004514345.tif 000017
2004514345.tif 000018
2004514345.tif 000019
2004514345.tif 000020
2004514345.tif 000021
2004514345.tif 000022
2004514345.tif 000023
2004514345.tif 000024
2004514345.tif 000025
2004514345.tif 000026
2004514345.tif 000027
2004514345.tif 000028
2004514345.tif 000029
2004514345.tif 000030
2004514345.tif 000031
2004514345.tif 000032
2004514345.tif 000033
2004514345.tif 000034
2004514345.tif 000035
2004514345.tif 000036
2004514345.tif 000037
2004514345.tif 000038
2004514345.tif 000039
【国際調査報告】
2004514345.tif 000040
2004514345.tif 000041
2004514345.tif 000042